(57)【要約】【課題】本発明は、ＡＴＭ網を必要とせず、ＤＳＬＡＭ及びＢＡＳをそれぞれ独立して設ける必要がない簡便なＡＤＳＬ通信制御システム又は装置を提供する。【解決手段】本発明のＡＤＳＬ通信制御システムは、モデムを介して加入者端末と通信するＤＳＬＡＭ部、通信業者ネットワークを介して加入者端末からの通信をＩＳＰに振分けるＢＡＳ部、ＤＳＬＡＭ部に記加入者端末から受信したＥｔｈｅｒｎｅｔフレームに内部ヘッダを付与し送信させ、ＢＡＳ部に送信されたＥｔｈｅｒｎｅｔフレームに付与された内部ヘッドを解除させＥｔｈｅｒｎｅｔフレームをＩＳＰに振分けるように制御する通信制御部、を有することを特徴とする【選択図】図１
2014007682.tif 000002
【特許請求の範囲】
【請求項１】
モデムを介して加入者端末と通信するＤＳＬＡＭ部と、
通信業者ネットワークを介して加入者端末からの通信をＩＳＰに振分けるＢＡＳ部と、  前記ＤＳＬＡＭ部に、前記加入者端末から受信したＥｔｈｅｒｎｅｔフレームに内部ヘッダを付与し送信させ、前記ＢＡＳ部に、前記送信されたＥｔｈｅｒｎｅｔフレームに付与された内部ヘッドを解除させ前記ＥｔｈｅｒｎｅｔフレームをＩＳＰに振分けるように制御する通信制御部と、
を有することを特徴とするＡＤＳＬ通信制御システム。
【請求項２】
前記ＤＳＬＡＭ部又は前記ＢＡＳ部は、前記加入者端末又は前記ＩＳＰより送信されたＥｔｈｅｒｎｅｔフレームに対して内部ヘッダを付与する内部バス通信部を有し、
前記加入者端末から前記ＩＳＰへの上りデータを伝送する上り通信伝送路と、前記ＩＳＰから前記加入者端末への下りデータを伝送する下り通信伝送路と、を有することを特徴とする請求項１に記載のＡＤＳＬ通信制御システム。
【請求項３】
前記内部ヘッダは、少なくとも送信元又は宛先に関する情報を含むことを特徴とする請求項１又は２に記載のＡＤＳＬ通信制御システム。
【請求項４】
前記通信制御部は、
複数の前記ＤＳＬＡＭ部の状態に関する情報と、加入者端末の宛先に関する情報と、加入者端末からの宛先ＩＳＰに関する情報と、契約通信帯域幅に関する設定情報を管理するＤＳＬＡＭ設定部と、
前記ＢＡＳ部の状態に関する情報と、ＢＡＳ接続情報、ルーティングエンジンに関する設定及び経路情報、通信業者側インタフェースに関する設定情報を管理するＢＡＳ設定部と、
前記設定情報に基づいて、内部通信用送受信宛先情報を生成し、前記ＤＳＬＡＭ部及び前記ＢＡＳ部に含まれる前記内部バス通信部に前記送受信宛先情報を配信するように制御する内部バス通信制御部と、を有することを特徴とする請求項１〜３のいずれかに記載のＡＤＳＬ通信制御システム。
【請求項５】
前記ＤＳＬＡＭ部は、ＤＳＬＡＭ処理部と、第１の送信元／宛先識別部、第１のヘッダ付与／解除部及び第１の転送制御部を含む第１の内部バス通信部と、を有し、
前記ＢＡＳ部は、ＢＡＳモジュール部と、第２の送信元／宛先識別部、第２のヘッダ付与／解除部及び第２の転送制御部を含む第２の内部バス通信部と、を有し、
前記第１の内部バス通信部と前記第２の内部バス通信部を接続するデータ通信伝送路を有し、
前記第１の送信元／宛先識別部は、前記ＤＳＬＡＭ処理部から受信したＥｔｈｅｒｎｅｔフレームの送信元及び宛先を識別し、
前記第１のヘッダ付与／解除部は、ＤＳＬＡＭ部及びＢＡＳ部に関する固有の情報を含んだ内部ヘッダを、前記Ｅｔｈｅｒｎｅｔフレームに付与し、
前記第１の転送制御部は、前記内部ヘッダが付与されたＥｔｈｅｒｎｅｔフレームを前記第２の内部バス通信部に転送し、
前記第２の転送制御部は、前記内部ヘッダが付与されたＥｔｈｅｒｎｅｔフレームを前記データ通信伝送路を介して受信し、
前記第２のヘッダ付与／解除部は、前記内部ヘッダを解除し、
前記第２の送信元／宛先識別部は、前記Ｅｔｈｅｒｎｅｔフレームの送信元及び宛先を識別し、
前記ＢＡＳモジュール部は、前記送信元及び宛先に関する情報に基づいて、対応するＩＳＰへ前記Ｅｔｈｅｒｎｅｔフレームを振分けることを特徴とする請求項１又は４に記載のＡＤＳＬ通信制御システム。
【請求項６】
前記ＤＳＬＡＭ部、前記ＢＡＳ部及び前記通信制御部は、一装置内に搭載されることを特徴とする請求項１〜５のいずれかに記載のＡＤＳＬ通信制御システム
【請求項７】
加入者端末から受信した上りデータをＥｔｈｅｒｎｅｔフレームに変換して送信するステップと、
前記受信したＥｔｈｅｒｎｅｔフレームの送信元及び宛先を識別し、内部ヘッダをＥｔｈｅｒｎｅｔフレームに付与するステップと、
前記内部ヘッダが付与されたＥｔｈｅｒｎｅｔフレームをパケットとして転送するステップと、
前記転送されたパケットの内部ヘッダを解除し、前記Ｅｔｈｅｒｎｅｔフレームの送信元及び宛先を識別するステップと、
前記識別した送信元及び宛先情報に基づいて、対応するＩＳＰへ前記Ｅｔｈｅｒｎｅｔフレームを振分けるステップと、を有することを特徴とするＡＤＳＬ通信制御方法。
【発明の詳細な説明】
【技術分野】
【０００１】
本発明は、加入者アクセス回線において通信事業者のＥｔｈｅｒｎｅｔ（登録商標）網へ接続する技術に関する。
【背景技術】
【０００２】
従来のＥｔｈｅｒｎｅｔによる高速な通信サービスでは、加入者宅のＭＯＤＥＭより上流は、ＤＳＬＡＭ（Digital Subscriber Line Access Multiplexer）、ＡＴＭ（Asynchronous Transfer Mode）網を経由して、ＡＴＭインタフェースを持つＢＡＳ（Broadband Access Server）装置へ接続されるＡＤＳＬ通信サービスが採用されている。例えば、特許文献１には、ＡＴＭ装置と、Ｅｔｈｅｒｎｅｔ網とを、ＡＴＭコンバータ及び回線終端装置を介して接続したＡＴＭシステムについて開示されている。
【先行技術文献】
【特許文献】
【０００３】
【特許文献１】特開２００７−１８４６８１号公報
【発明の概要】
【発明が解決しようとする課題】
【０００４】
従来のＥｔｈｅｒｎｅｔによる高速な通信サービスには、ＤＳＬＡＭ及びＡＴＭ網を使用したＡＴＭを使用する必要があり、固定長であるセルサイズが小さい為に大容量データ送信においてはパケット数に応じた柔軟な伝送ができなかった。また、加入者端末からの通信をＩＳＰへ振分けるには、大容量広帯域通信サーバとして通信ネットワークのエッジ機器として利用されているＢＡＳ（Broadband Access Server）をＤＳＬＡＭとは別に設ける必要があった。そこで、本発明では、ＡＴＭ網を必要とせず、ＤＳＬＡＭ及びＢＡＳをそれぞれ独立して設ける必要がない簡便なＡＤＳＬ通信制御システム又は装置を提供する。
【課題を解決するための手段】
【０００５】
本発明のＡＤＳＬ通信制御システムは、モデムを介して加入者端末と通信するＤＳＬＡＭ部と、通信業者ネットワークを介して加入者端末からの通信をＩＳＰに振分けるＢＡＳ部と、ＤＳＬＡＭ部に、加入者端末から受信したＥｔｈｅｒｎｅｔフレームに内部ヘッダを付与し送信させ、ＢＡＳ部に送信されたＥｔｈｅｒｎｅｔフレームに付与された内部ヘッドを解除させＥｔｈｅｒｎｅｔフレームをＩＳＰに振分けるように制御する通信制御部と、を有することを特徴とする。
【発明の効果】
【０００６】
本発明により、加入者アクセス側の環境（電話回線、ＭＯＤＥＭ）を変更することなく、従来のＡＴＭ網を使用した集線・振分機能を、ＤＳＬＡＭ機能とＢＡＳ機能の双方を有する１つのシステム又は装置で実現可能となる。
【図面の簡単な説明】
【０００７】
【図１】本実施例に係るＡＤＳＬ通信制御システムのネットワーク接続構成図。
【図２】本実施例に係るＡＤＳＬ通信制御システムの機能ブロック図。
【図３】本実施例に係るＤＳＬＡＭ部と通信制御部との接続構成図。
【図４】本実施例に係るＢＡＳ部と通信制御部との接続構成図。
【図５】本実施例に係るＤＳＬＡＭ部の内部バス通信モジュール、ＢＡＳ部の内部バス通信モジュール及び内部バス通信制御部間の接続構成図。
【図６】本実施例に係る通信制御機能を示すブロック図である。
【図７Ａ】本実施例に係るＤＳＬＡＭ機能側のプロトコルスタックの例である。
【図７Ｂ】本実施例に係るＢＡＳ機能側のプロトコルスタックをの例である。
【図８】本実施例に係る内部バス通信で使用する内部ヘッダパケット構成の図である。
【図９】本実施例に係る内部ヘッダ情報用テーブルの作成フローを示す図である。
【図１０】本実施例に係る上り通信（加入者からＩＳＰ宛）の内部バス通信を示すシーケンス図。
【図１１】本実施例に係る下り通信（ＩＳＰから加入者宛）の内部バス通信を示すシーケンス図。
【図１２】従来のＡＤＳＬネットワークの基本的なネットワーク接続構成図である。
【発明を実施するための形態】
【０００８】
以下、本発明の実施の形態について説明する。なお、本発明は以下の実施例に限定されるものではなく、様々な変形例が含まれる。例えば、下記の実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、ある実施例の構成に他の実施例の構成を加えることも可能である。  
【０００９】
図１は本実施例の通信制御システムの接続構成を示す。ＡＤＳＬ通信は電話回線を使い加入者端末１０１、１０２、・・・１０ｎからＭＯＤＥＭ１１１、１１２、・・・１１ｎを経て、本発明に係るＡＤＳＬ通信制御システムであるＤＳＬＡＭ統合型ＢＡＳ２０へ接続される。ＤＳＬＡＭ統合型ＢＡＳ２０では、通信事業者ネットワーク１２１へＥｔｈｅｒｎｅｔで接続し、ＲＡＤＩＵＳ１２２と通信して加入者端末認証後、各加入者毎に契約されたＩＳＰ１３１、１３２、・・・１３ｎ宛にそれぞれ通信する。即ち、ＤＳＬＡＭ部が、モデムを介して加入者端末と通信し、加入者端末から受信したＥｔｈｅｒｎｅｔフレームに内部ヘッダを付与してＢＡＳ部へ送信し、ＢＡＳ部ではＥｔｈｅｒｎｅｔフレームに付与された内部ヘッダを解除し、通信業者ネットワークを介して加入者端末からの通信であるＥｔｈｅｒｎｅｔフレームをＩＳＰに振分ける。このようなＡＴＭ網を使用しない構成により、様々なプロトコルに合せて様々なパケットを柔軟に伝送することが可能になる。またＤＳＬＡＭとＢＡＳ間の伝送路に機器やケーブル等が不要になり、伝送路上の遅延が小さくなる。その結果、Ｅｔｈｅｒｎｅｔによる高速通信が可能となる。
【００１０】
図２は本実施例のＤＳＬＡＭ統合型ＢＡＳシステム２０の機能ブロック図である。加入者端末を収容するＤＳＬＡＭ部３０、通信事業者ネットワークを収容し加入者端末からの通信を各ＩＳＰ宛に振分するＢＡＳ部４０、ＤＳＬＡＭ部３０及びＢＡＳ部４０間の通信を制御する通信制御部６０で構成される。またＤＳＬＡＭ部３０及びＢＡＳ部４０間の通信経路は、加入者端末からＩＳＰへのパケットを伝送する上りデータ通信伝送路５０３、ＩＳＰから加入者端末へのパケットを伝送する下りデータ通信伝送路５０４で構成される。このように、専用の伝送路を通って伝送することにより内部通信の衝突や迂回を防ぐことが可能となる。
【００１１】
次に、図３は本実施例のＤＳＬＡＭ部と通信制御部との接続構成を示す。ＤＳＬＡＭ部３０はＤＳＬＡＭ処理部３００と内部バス通信部に相当する内部バス通信モジュール５０１で構成される。ＤＳＬＡＭ処理部３００は物理インタフェースのＡＴＭ−Ｉ／Ｏモジュール３０１とＡＴＭ／Ｅｔｈｅｒｎｅｔ変換モジュール３０２で構成される。ＡＴＭ−Ｉ／Ｏ３０１にて加入者側ＭＯＤＥＭ１１１、１１２、・・・１１ｎをＡＴＭにて収容し加入者端末間の通信を行う。上り通信においてはＡＴＭ−Ｉ／Ｏ３０１他側からのＡＴＭセルをＡＴＭ／Ｅｔｈｅｒｎｅｔ変換モジュール３０２にてＥｔｈｅｒｎｅｔフレームへ変換し内部バスモジュール５０１側へ送信し、下り通信においては内部バスモジュール５０１側からのＥｔｈｅｒｎｅｔフレームをＡＴＭ／Ｅｔｈｅｒｎｅｔ変換モジュール３０２にて各加入者端末が契約する通信帯域幅へのトラフィックシェーピングを行なうとともにＡＴＭセルへ変換しＡＴＭ−Ｉ／Ｏ３０１側へ送信する。また、ＤＳＬＡＭ処理部は複数実装する事が可能であり、ＤＳＬＡＭ部側の内部バス通信モジュール５０１と並列に接続する構成を採ることができる。ＤＳＬＡＭ部側の内部バス通信モジュール５０１はＢＡＳ部側の内部バス通信モジュール５０２と通信し、ＤＳＬＡＭ部３０とＢＡＳ部４０間の内部通信を行う。この内部通信においては通信制御部６０の内部バス通信制御部６１０より、ＤＳＬＡＭ設定部６０１上にあるＤＳＬＡＭ設定情報を、ＤＳＬＡＮ設定情報伝送路６０３を経由して取得すると共に、ＢＡＳ設定部６２０上にあるＢＡＳ設定情報をＢＡＳ設定情報伝送路６２７を経由して取得して、それぞれの接続情報を記憶し内部通信の制御を行う。制御用信号は制御信号伝送路６１４を通り、上りデータ通信伝送路５０３及び下りデータ通信伝送路５０４とは異なる伝送路を通ることで、制御信号によるデータ通信への影響を発生しない構成となる。
【００１２】
次に、図４は本実施例のＢＡＳ部４０と通信制御部との接続構成を示す。ＢＡＳ部４０は、ＤＳＬＡＭ処理部と接続する内部バス通信モジュール５０２、ＰＰＰの終端並びに宛先ＩＳＰ振分機能持つＢＡＳモジュール４０１、通信事業者ネットワーク網の経路情報を持つルーティングエンジン４０２、通信事業者ネットワークと接続するＳＷ／Ｅｔｈｅｒｎｅｔ−Ｉ／Ｏモジュール４０３で構成される。ＢＡＳ部側の内部バス通信モジュール５０２はＤＳＬＡＭ部側の内部バス通信モジュール５０１と通信し、ＢＡＳ部４０とＤＳＬＡＭ部３０間の内部通信を行う。この内部通信においては通信制御部６０の内部バス通信制御部６１０より、ＢＡＳ機能設定部６２０上にあるＢＡＳ設定情報をＢＡＳ設定情報伝送路６２７を経由して取得すると共に、ＤＳＬＡＭ設定部６０１上にあるＤＳＬＡＭ設定情報をＤＳＬＡＭ設定情報伝送路６０３を経由して取得して、れぞれの接続情報を記憶し内部通信の制御を行う。さらに、図３と同様に制御用信号は制御信号伝送路６１４を通り、データ通信伝送路とは異なる伝送路を通ることで、制御信号によるデータ通信への影響を発生しない。
【００１３】
次に、図５はＤＳＬＡＭ部の内部バス通信部に相当する内部バス通信モジュールと、ＢＡＳ部の内部バス通信部に相当する内部バス通信モジュール及び通信制御部の内部バス通信制御部間の接続構成を示す。ＤＳＬＡＭ部の内部バス通信モジュール５０１は送信元／宛先識別部５０５、ヘッダ付与／解除部５０６、転送制御部５０７で構成される。ＢＡＳ部の内部バス通信モジュール５０２も同様に送信元／宛先識別部５０８、ヘッダ付与／解除部５０９、転送制御部５１０で構成される。また、ＤＳＬＡＭ部の内部バス通信モジュール５０１とＢＡＳ機部の内部バス通信モジュール５０２間は上りデータ通信伝送路５０３及び下りデータ通信伝送路５０４にて接続され、それぞれ片方向の伝送路とすることで内部通信の衝突や迂回を防ぐことが可能になる。内部ヘッダ情報用テーブル６１１はＤＳＬＡＭ設定部６０１及びＢＡＳ設定部６２０より収集した情報を元に内部ヘッダ情報用テーブル作成しＤＳＬＡＭ−ＩＤ／ＢＡＳ−ＩＤを保持する。ＤＳＬＡＭ−ＩＤ／ＢＡＳ−ＩＤはＤＳＬＡＭ−ＩＤ／ＢＡＳ−ＩＤ配信機能によりＩＤ配信用伝送路６１４を経由して送信元／宛先識別部５０５へ渡される。上り通信においてＥｔｈｅｒｎｅｔフレーム５２０はＤＳＬＡＭ処理部３００からＤＳＬＡＭ部の内部バス通信モジュール５０１の送信元／宛先識別部５０５へ渡される。送信元／宛先識別部５０５にて送信元及び宛先を識別した後、Ｅｔｈｅｒｎｅｔフレーム５２０はＤＳＬＡＭ部の内部バス通信モジュール５０１のヘッダ付与／解除部５０６へ渡される。ヘッダ付与／解除部５０６にて内部ヘッダ５２１がＥｔｈｅｒｎｅｔフレーム５２０の先頭に付与され、ＤＳＬＡＭ部の内部バス通信モジュール５０１の転送制御部５０７へ渡される。内部ヘッダ５２１及びＥｔｈｅｒｎｅｔフレーム５２０の内部フレームはＤＳＬＡＭ部の内部バス通信モジュール５０１の転送制御部５０７より上りデータ通信伝送路５０３へ送られ、ＢＡＳ部の内部バス通信モジュール５０２の転送制御部５０８へ渡される。ＢＡＳ部の内部バス通信モジュール５０２の転送制御部５０８より内部ヘッダ５２１及びＥｔｈｅｒｎｅｔフレーム５２０の内部フレームはＢＡＳ部の内部バス通信モジュール５０２のヘッダ付与／解除部５０９へ渡される。ＢＡＳ部の内部バス通信モジュール５０２のヘッダ付与／解除部５０９にて内部ヘッダ５２１が解除された後、Ｅｔｈｅｒｎｅｔフレーム５２０はＢＡＳ部の内部バス通信モジュール５０２の送信元／宛先識別部５１０へ渡される。ＢＡＳ部側内部バス通信モジュール５０２の送信元／宛先識別部５１０にて送信元及び宛先を識別した後、Ｅｔｈｅｒｎｅｔフレーム５２０はＢＡＳモジュール４０１へ渡され、ＢＡＳモジュール４０１にて対応するＩＳＰ宛に振分けられる。
【００１４】
下り通信においてＥｔｈｅｒｎｅｔフレーム５２０はＢＡＳモジュール４０１よりＢＡＳ部の内部バス通信モジュール５０２の送信元／宛先識別部５１０へ渡される。以降、上り通信と同様にＢＡＳ部の内部バス通信モジュール５０２のヘッダ付与／解除部５０９にて内部ヘッダ５２１がＥｔｈｅｒｎｅｔフレーム５２０の先頭に付与され、ＢＡＳ部の内部バス通信モジュール５０２の転送制御部５０８へ送られた後、下りデータ通信伝送路５０４を経由し、ＤＳＬＡＭ部の内部バス通信モジュール５０１の転送制御部５０７へ渡される。ＤＳＬＡＭ部の内部バス通信モジュール５０１の転送制御部５０７より内部フレームはＤＳＬＡＭ部の内部バス通信モジュール５０１のヘッダ付与／解除部５０６へ渡され、内部ヘッダ５２１が解除された後、送信元／宛先識別部５０５へ渡され、送信元及び宛先を識別した後、Ｅｔｈｅｒｎｅｔフレーム５２０はＤＳＬＡＭ処理部３００へ送られ、識別した送信元及び宛先情報に基づいて、加入者端末に振分けられる。
【００１５】
図６は、通信制御部のＤＳＬＡＭ設定部、内部バス通信制御部及びＢＡＳ設定部の接続構成を示す。通信制御部６０はＤＳＬＡＭ設定部６０１、内部バス通信制御部６１０、ＢＡＳ機能設定部６２０で構成される。ＤＳＬＡＭ設定部６０１はＤＳＬＡＭ処理部３００〜３ｎｎまでの複数のＤＳＬＡＭ処理部の実装状態と各加入者端末毎の宛先情報並びに契約通信帯域幅の設定情報を管理する。ＢＡＳ設定部６２０はＢＡＳモジュール４０１の設定情報を持つＢＡＳ設定６２２、ルーティングエンジン４０２の設定情報及び経路情報を持つ経路情報設定６２２、ＳＷ／ＥｔｈｅｒＩ／Ｏモジュール４０３の設定情報を持つＩ／Ｏ設定６２３で構成され、ＢＡＳ部４０の実装状態と設定情報を管理する。
【００１６】
内部バス通信制御部６１０は内部ヘッダ情報用テーブル６１１とＤＳＬＡＭ−ＩＤ／ＢＡＳ−ＩＤ配信６１２で構成される。内部ヘッダ情報用テーブル６１１はＤＳＬＡＭ設定部６０１並びにＢＡＳ設定部６２０内のＢＡＳ設定６２１より設定情報を取得し、ＤＳＬＡＭ−ＩＤとＢＡＳ−ＩＤを生成し、内部ヘッダ情報用テーブルとして各ＩＤを保持することにより、内部ヘッダ５２１とＥｔｈｅｒｎｅｔフレーム５２０で成る内部バス通信用パケットの送信元及び宛先を管理する。このテーブルで宛先を管理することにより、加入者端末側においては加入者宅内のＭＯＤＥＭ１１１〜１１ｎの各モデムとＤＳＬＡＭ部３０間のＡＴＭセルの集線／振分機能を実現し、またＩＳＰ側においてはＩＳＰ１３１〜１３ｎの各ＩＳＰとの振分／接続を実現することで、ＡＴＭ網の集線／振分機能を本実施例のＤＳＬＡＭ統合型ＢＡＳ２０にて実現できる。内部ヘッダ情報用テーブル６１１で生成した各ＩＤはＩＤ情報伝送路６１３を使用してＤＳＬＡＭ−ＩＤ／ＢＡＳ−ＩＤ配信６１２と連携し、ＤＳＬＡＭ−ＩＤ／ＢＡＳ−ＩＤ配信６１２よりＤＳＬＡＭ部の内部バス通信モジュール５０１及びＢＡＳ部の内部バス通信モジュール５０２内のそれぞれの送信元/宛先識別部５０５、５１０へ内部バス通信制御伝送路６１４を使用して配信される。
【００１７】
このように、通信制御部は、複数のＤＳＬＡＭ部の状態に関する情報と、加入者端末の宛先に関する情報と、加入者端末からの宛先ＩＳＰに関する情報と、契約通信帯域幅に関する設定情報を管理するＤＳＬＡＭ設定部と、ＢＡＳ部の状態に関する情報と、ＢＡＳ接続情報、ルーティングエンジンに関する設定及び経路情報、通信業者側インタフェースに関する設定情報を管理するＢＡＳ設定部と、設定情報に基づいて、内部通信用送受信宛先情報を生成し、ＤＳＬＡＭ部及びＢＡＳ部に含まれる内部バス通信部に送受信宛先情報を配信するように制御する内部バス通信制御部と、を含む構成により、ＤＳＬＡＭ部及びＢＡＳ部を制御する。
【００１８】
図７ＡＢは本実施例のプロトコルスタックを示す。図７ＡはＤＳＬＡＭ部のプロトコルスタックを示し、図７ＢはＢＡＳ部のプロトコルスタックを示す。加入者端末１０１からＩＳＰ１３１宛の通信の場合、図７Ａの加入者端末１０１から開始されるＩＰ通信はＩＰ７０１、ＰＰＰ７０２、ＰＰＰｏＥ７０３、Ｅｈｅｒｎｅｔ７０４、物理層７０５で送信されたとすると、ＭＯＤＥＭ１１１にて物理層７０６がＡＴＭセル化され、ＡＡＬ５７０７、ＡＴＭ７０８、ＤＳＬ７０９として送信される。これらＡＴＭセルがＤＳＬＡＭ部３０側のＡＴＭ−Ｉ／Ｏモジュール３０１に到達するとＤＳＬが内部用の物理層７１１に置き換わり、ＡＴＭ／Ｅｔｈｅｒｎｅｔ変換モジュール３０２に送られる。ＡＴＭ／Ｅｔｈｅｒｎｅｔ変換モジュール３０２にてＡＴＭセルのＡＡＬ５７１４並びにＡＴＭ７１５はＴＡＧ−ＶＬＡＮ７１７、Ｅｔｈｅｒｎｅｔ７１８のＥｔｈｅｒｎｅｔフレームに変換され、内部バス通信モジュール５０１に転送される。内部バス通信モジュール５０１は物理層７２４とＥｔｈｅｒｎｅｔ７２２の間に内部ヘッダ７２３を追加し、これらの内部バス通信用パケットは図７ＢのＢＡＳ部４０側の内部バス通信モジュール５０２へ送信される。内部バス通信モジュール５０２は内部ヘッダ７２６を外して、ＢＡＳモジュール４０１へＥｔｈｅｒｎｅｔ７２８のフレームとして物理あるいは論理経路にて転送される。ＢＡＳモジュール４０１はＰＰＰ７２９、ＰＰＰｏＥ７３０を読み取り、ＲＡＤＩＵＳ１２２と認証した上でユーザからのＰＰＰを終端し、ルーティングエンジン４０２が示す経路情報を元にＩＰパケットとしてＩＰ７３４、Ｅｔｈｅｒ７３５、ＴＡＧ−ＶＬＡＮ７３６、Ｅｔｈｅｒｎｅｔ７３７が送信され、ＳＷ／ＥｔｈｅｒｎｅｔＩ／Ｏ４０３のインタフェースを経て通信事業者ネットワーク網１２１並びにＩＳＰ１３１へ到達する。このように、ＤＳＬＡＭ部は、ＤＳＬＡＭ処理部と、第１の送信元／宛先識別部、第１のヘッダ付与／解除部及び第１の転送制御部を含む第１の内部バス通信部と、を有し、ＢＡＳ部は、ＢＡＳモジュール部と、第２の送信元／宛先識別部、第２のヘッダ付与／解除部及び第２の転送制御部を含む第２の内部バス通信部と、を有し、第１の内部バス通信部と第２の内部バス通信部を接続するデータ通信伝送路を有し、第１の送信元／宛先識別部は、ＤＳＬＡＭ処理部から受信したＥｔｈｅｒｎｅｔフレームの送信元及び宛先を識別し、第１のヘッダ付与／解除部は、ＤＳＬＡＭ部及びＢＡＳ部に関する固有の情報を含んだ内部ヘッダを、Ｅｔｈｅｒｎｅｔフレームに付与し、第１の転送制御部は、内部ヘッダが付与されたＥｔｈｅｒｎｅｔフレームを第２の内部バス通信部に転送し、第２の転送制御部は、内部ヘッダが付与されたＥｔｈｅｒｎｅｔフレームをデータ通信伝送路を介して受信し、第２のヘッダ付与／解除部は、内部ヘッダを解除し、第２の送信元／宛先識別部は、Ｅｔｈｅｒｎｅｔフレームの送信元及び宛先を識別し、ＢＡＳモジュール部は、送信元及び宛先に関する情報に基づいて、対応するＩＳＰへＥｔｈｅｒｎｅｔフレームを振分けることにより、簡便で高速な通信を実現することが可能となる。なお、ここで、ＤＳＬＡＭ部、ＢＡＳ部及び通信制御部は、一装置内に搭載される構成とすることが好ましい。位置装置内に踏査することで各機能を繋ぐネットワークが不要になり、コスト低減を図ることが可能である。
また、上記構成を用いた通信制御方法の手順としては、加入者端末から受信した上りデータをＥｔｈｅｒｎｅｔフレームに変換して送信するステップと、受信したＥｔｈｅｒｎｅｔフレームの送信元及び宛先を識別し、内部ヘッダをＥｔｈｅｒｎｅｔフレームに付与するステップと、内部ヘッダが付与されたＥｔｈｅｒｎｅｔフレームをパケットとして転送するステップと、転送されたパケットの内部ヘッダを解除し、Ｅｔｈｅｒｎｅｔフレームの送信元及び宛先を識別するステップと、識別した送信元及び宛先情報に基づいて、対応するＩＳＰへＥｔｈｅｒｎｅｔフレームを振分けるステップと、を有することが好ましい。
【００１９】
図８は内部バス通信で使用する内部ヘッダパケットの構成図を示す。ＤＳＬＡＭ部の内部バス通信モジュール５０１とＢＡＳ部の内部バス通信モジュール５０２間だの通信においては内部ヘッダ５２１を付与し送受信する。内部ヘッダ５２１は２バイトで構成され、パケット制御用ビット８０１が２ビット、送信先及び宛先に関する情報に相当するＤＳＬＡＭモジュールＩＤ８０２が４ビット、ＢＡＳ識別ＩＤ８０３が１２ビットで構成される。
【００２０】
図９は内部ヘッダ情報用テーブル６１１の生成フローを示す。内部ヘッダ情報用テーブル６１１では、まずＤＳＬＡＭ設定情報を読み込む（S901）。次にＤＳＬＡＭ設定情報の有無を確認し(S902)、ＤＳＬＡＭ設定情報がある場合はＤＳＬＡＭモジュール数を認識しテーブルを確保し(S903)、その後、ＤＳＬＡＭモジュール実装スロットに対応したＤＳＬＡＭモジュールＩＤを付与する(S904)。ＤＳＬＡＭ設定情報が無い場合は９０５にてＤＳＬＡＭモジュールの有無を確認し、ＤＳＬＡＭモジュールがある場合はハードウェアチェックを行い(S905)、ＤＳＬＡＭ設定情報を読み込みステップへと戻る(S901)。一方で、ＤＳＬＡＭモジュールが無い場合はモジュールなしとし、ＤＳＬＡＭモジュールＩＤの規定「００００」を設定する。ＤＳＬＡＭ−ＩＤが無い場合は、Ｅｔｈｅｒｎｅｔ用ＢＡＳとして動作する等の対応が可能となる。
【００２１】
続いて、S904の後、ＢＡＳ設定情報を読み込み(S908)、ＢＡＳ設定情報の有無を確認(S909)、ＢＡＳ設定情報がある場合はＢＡＳ設定情報を認識し(S910)、各ＩＳＰに対応するＢＡＳ識別ＩＤをテーブルに付与する(S912)。一方で、ＢＡＳ設定情報が無い場合はＢＡＳ識別ＩＤ「００  ００００  ００００」をテーブルに付与する(S911)。この場合は、ＡＴＭ／Ｅｔｈｅｒｎｅｔルータとして動作する等の対応が可能となる。
【００２２】
図１０は上り通信（加入者端末からＩＳＰ宛）におけるＤＳＬＡＭ部とＢＡＳ部間の内部バス通信手順を示す。最初に接続開始手順として、ＤＳＬＡＭ部側より接続要求１００１をＢＡＳ部側へ送信する。接続要求１００１を受信したＢＡＳ部側は接続応答１００２をＤＳＬＡＭ部側へ返信する。続いて、送信元及び宛先ＩＤの交換を行なう。ＤＳＬＡＭ部側より送信元ＩＤの通知手順としてＤＳＬＡＭモジュールＩＤ通知１００３を送信する。ＤＳＬＡＭモジュールＩＤ通知１００３を受信したＢＡＳ部側は受信応答１００４を送信し、続いて宛先ＩＤの通知手順としてＢＡＳ識別ＩＤ通知１００５を送信する。ＢＡＳ識別ＩＤ通知１００５を受信したＤＳＬＡＭ部側は受信応答１００６を送信する。送信元及び宛先ＩＤが決定後、データ送信を開始する。ＤＳＬＡＭ部側は通信用パケットの量に合わせてのデータ送信１００７、データ送信１００８、データ送信１００９のように実際の加入者端末通信パケットを転送する。ＢＡＳ部側はデータ送信を数回受信する毎に受取ったことを通知する受信応答１０１０を返信する（図では３回としている）。この手順を繰り返して加入者端末通信パケットを転送し、加入者端末通信パケットの送信が全て終了したらＤＳＬＡＭ部側よりデータ送信終了通知１０１１を送信する。データ送信終了通知１０１１を受信したＢＡＳ部側は終了応答１０１２を返信する。
【００２３】
全ての通信が終わり接続を解除する場合は、ＤＳＬＡＭ部側より切断要求１０１３を送信し、切断要求１０１３を受信したＢＡＳ部側は切断応答１０１４を送信する。切断応答１０１４を受信したＤＳＬＡＭ部側は切断通知１０１５を送信すると共に、内部バス通信を終了する。ＢＡＳ部側は切断通知１０１５を受信した後、内部バス通信を終了する。
【００２４】
図１１は下り通信（ＩＳＰから加入者端末宛）におけるＤＳＬＡＭ部とＢＡＳ部の間の内部バス通信手順を示す。最初に接続開始手順として、ＢＡＳ部側より接続要求１１０１をＤＳＬＡＭ部側へ送信する。接続要求１１０１を受信したＤＳＬＡＭ部側は接続応答１１０２をＢＡＳ部側へ返信する。
【００２５】
続いて送信元及び宛先ＩＤの交換を行なう。ＢＡＳ部側より送信元ＩＤの通知手順としてＢＡＳ識別ＩＤ通知１１０３を送信する。ＢＡＳ識別ＩＤ通知１１０３を受信したＤＳＬＡＭ部側は受信応答１１０４を送信し、続いて宛先ＩＤの通知手順としてＤＳＬＡＭモジュールＩＤ通知１１０５を送信する。ＤＳＬＡＭモジュールＩＤ通知１１０５を受信したＢＡＳ部側は受信応答１１０６を送信する。
【００２６】
送信元及び宛先ＩＤが決定後、データ送信を開始する。ＢＡＳ部側は通信用パケットの量に合わせてのデータ送信１１０７、データ送信１１０８、データ送信１１０９のように実際の加入者通信パケットを転送する。ＤＳＬＡＭ部側はデータ送信を数回受信する毎に受取ったことを通知する受信応答１１１０を返信する（図では３回としている）。この手順を繰り返して加入者通信パケットを転送し、加入者通信パケットの送信が全て終了したらＢＡＳ部側よりデータ送信終了通知１１１１を送信する。データ送信終了通知１１１１を受信したＤＳＬＡＭ部側は終了応答１１１２を返信する。
【００２７】
全ての通信が終わり接続を解除する場合は、ＢＡＳ部側より切断要求１１１３を送信し、切断要求１１１３を受信したＤＳＬＡＭ部側は切断応答１１１４を送信する。切断応答１１１４を受信したＢＡＳ部側は切断通知１１１５を送信すると共に、内部バス通信を終了する。ＤＳＬＡＭ部側は切断通知１１１５を受信した後、内部バス通信を終了する。
【００２８】
図１２は従来の基本的なＡＤＳＬネットワーク接続構成図である。ＡＤＳＬネットワークは基本的に１加入者あたり加入者端末１０１及びＭＯＤＥＭ１１１で構成され、このような加入者が複数存在し、加入者を収容する通信事業者局舎側のＤＬＳ用ＭＯＤＥＭとしてＤＳＬＡＭ１２００がそれぞれ地域毎に設置される。ＤＳＬＡＭ１２００から１２０ｎはＡＴＭネットワーク１２１０にて通信事業者の主要局舎とＡＴＭ網で結ばれており主要局舎内のＢＡＳ１２１１に接続される。ＢＡＳ１２１１は通信事業者ネットワーク１２１へＥｔｈｅｒｎｅｔにて接続し、ＲＡＤＩＵＳ１２２と通信して加入者認証後、各加入者毎に契約されたＩＳＰ１３１他宛にそれぞれ通信する。
【符号の説明】
【００２９】
１      ＤＳＬＡＭ統合型ＢＡＳシステム
１０１  加入者端末
１０２  加入者端末
１０ｎ  加入者端末（ｎ軒目）
１１１  １０１加入者のＭＯＤＥＭ
１１２  １０２加入者のＭＯＤＥＭ
１１ｎ  １０ｎ加入者のＭＯＤＥＭ
１２１  通信事業者基幹ネットワーク網（Ｅｔｈｅｒｎｅｔ網）
１２２  ＲＡＤＩＵＳ
１３１  ＩＳＰ事業者Ａ
１３２  ＩＳＰ事業者Ｂ
１３ｎ  ＩＳＰ事業者ｎ（ｎ社目）
２０    ＤＳＬＡＭ統合型ＢＡＳシステム
３０    ＤＬＡＭ部
３００  ＤＳＬＡＭ処理部
３０１  ＡＴＭ−Ｉ／Ｏモジュール
３０２  ＡＴＭ／Ｅｔｈｅｒｎｅｔ変換モジュール
３ｎｎ  ＤＳＬＡＭ処理部（ｎセット目）
４０    ＢＡＳ部
４０１  ＢＡＳモジュール
４０２  ルーティングエンジン
４０３  スイッチング／ＥｔｈｅｒｎｅｔＩ／Ｏモジュール
５０１  内部バス通信モジュール（ＤＳＬＡＭ部側）
５０２  内部バス通信モジュール（ＢＡＳ部側）
５０３  上りデータ通信伝送路
５０４  下りデータ通信伝送路
５０５  送信元／宛先識別部
５０６  ヘッダ付与／解除部
５０７  転送制御部
５２０  Ｅｔｈｅｒｎｅｔフレーム
５２１  内部ヘッダ
６０    通信制御部
６０１  ＤＳＬＡＭ設定部
６０２  ＤＳＬＡＭ設定伝送路
６０３  ＤＳＬＡＮ設定情報伝送路
６１０  内部バス通信制御部
６１１  内部ヘッダ情報用テーブル
６１２  ＤＳＬＡＭ−ＩＤ／ＢＡＳ−ＩＤ配信
６１３  ＩＤ情報伝送路
６１４  制御信号伝送路
６２０  ＢＡＳ設定部
６２１  ＢＡＳ設定
６２２  経路情報設定
６２３  Ｉ／Ｏ設定
６２４  ＢＡＳ設定伝送路
６２５  経路設定伝送路
６２６  ＥｔｈｅｒｎｅｔＩ／Ｏ設定伝送路
６２７  ＢＡＳ設定情報伝送路
８０１  制御ビット
８０２  ＤＳＬＡＭモジュールＩＤビット
８０３  ＢＡＳ識別ＩＤビット
１００１  接続要求
１００２  接続応答
１００３  ＤＳＬＡＭモジュールＩＤ通知
１００４  受信応答
１００５  ＢＡＳ識別ＩＤ通知
１００６  受信応答
１００７  データ送信
１００８  データ送信
１００９  データ送信
１０１０  受信応答
１０１１  データ送信終了通知
１０１２  終了応答１
１０１３  切断要求
１０１４  切断応答
１０１５  切断通知
１１０１  接続要求
１１０２  接続応答
１１０３  ＢＡＳ識別ＩＤ通知
１１０４  受信応答１１０４
１１０５  ＤＳＬＡＭモジュールＩＤ通知
１１０６  受信応答
１１０７  データ送信
１１０８  データ送信
１１０９  データ送信
１１１０  受信応答
１１１１  データ送信終了通知
１１１２  終了応答
１１１３  切断要求
１１１４  切断応答
１１１５  切断通知
１２００  ＤＳＬＡＭ
１２０ｎ  ＤＳＬＡＭ（ｎ台目）
１２１０  ＡＴＭネットワーク網
１２１１  ＢＡＳ
【図１】
2014007682.tif 000003
【図２】
2014007682.tif 000004
【図３】
2014007682.tif 000005
【図４】
2014007682.tif 000006
【図５】
2014007682.tif 000007
【図６】
2014007682.tif 000008
【図７Ａ】
2014007682.tif 000009
【図７Ｂ】
2014007682.tif 000010
【図８】
2014007682.tif 000011
【図９】
2014007682.tif 000012
【図１０】
2014007682.tif 000013
【図１１】
2014007682.tif 000014
【図１２】
2014007682.tif 000015